(57)【特許請求の範囲】
【請求項１】
本体に放射角度が異なる近投ノズルと遠投ノズルとを設け、該遠投ノズルの開口の正面に、該遠投ノズルに支持アームによって基端側が固定されたデフレクタを配設した水噴霧ヘッドにおいて；
前記デフレクタは、消火用水を衝突させて分散させるＶ字状の反射面を有するＶ字状反射板と、該Ｖ字状反射板の側縁に連続し、且つ、該反射面方向に傾斜して、該Ｖ字状反射板により分散された消火用水の横方向への拡がりを規制する抑え面を有する傾斜抑え板とを備えており、
前記Ｖ字状反射板の反射面が、消火用水の放出方向であるところの、該支持アームが連結されている基端から先端に向かって幅が広くなることを特徴とする水噴霧ヘッド。
【請求項２】
本体に放射角度が異なる近投ノズルと遠投ノズルとを設け、該遠投ノズルの開口の正面に、該遠投ノズルに支持アームによって基端側が固定されたデフレクタを配設した水噴霧ヘッドにおいて；
前記デフレクタは、消火用水を衝突させて分散させるＶ字状の反射面を有するＶ字状反射板と、
該Ｖ字状反射板の側縁に連続し、且つ、該反射面方向に傾斜して、該Ｖ字状反射板により分散された消火用水の横方向への拡がりを規制する抑え面を有する傾斜抑え板とを備えており、
前記傾斜抑え板の抑え面が、消火用水の放出方向であるところの、該支持アームが連結されている基端から先端に向かって幅が狭くなることを特徴とする水噴霧ヘッド。
【発明の詳細な説明】
【０００１】
【発明の属する技術分野】
この発明は、トンネル等に配設される水噴霧ヘッドに関するものである。
【０００２】
【従来の技術】
トンネル内の壁面上部には、水噴霧ヘッドが配設されている。この水噴霧ヘッドは近投ノズルと遠投ノズルとを備えており、両ノズルからの水噴霧により方形状の散水分布を得ている。
【０００３】
【発明が解決しようとする課題】
トンネルの壁面上部に電気機器等のためのケーブルラックが突設されているときに、この水噴霧ヘッドは、このケーブルラックの影響を受けない様に低い位置に配設しなければならない。そのため、水噴霧ヘッドを設計位置に配設することが出来なくなり、方形状且つ立体的なの防護範囲に無駄なく散水するための、立方体状の散水分布が得られないことがある。
【０００４】
特に、遠投ノズルを設計位置より低い位置に配設すると、該ノズルから放出される消火用水の飛距離が短くなり、設計散水分布の先端まで届きにくくなるとともに、特に防護範囲の上方の水噴霧ヘッドに対向する辺の部分に散水しにくくなる。そのため、防護範囲全域にわたり散水することは困難となる。
【０００５】
この発明は、上記事情に鑑み、確実に防護範囲を覆える立体的な方形状の散水分布を得ることを目的とする。
【０００６】
【課題を解決するための手段】
この発明は、本体に放射角度が異なる近投ノズルと遠投ノズルとを設け、該遠投ノズルの開口の正面に、該遠投ノズルに支持アームによって基端側が固定されたデフレクタを配設した水噴霧ヘッドにおいて；
前記デフレクタは、消火用水を衝突させて分散させるＶ字状の反射面を有するＶ字状反射板と、該Ｖ字状反射板の側縁に連続し、且つ、該反射面方向に傾斜して、該Ｖ字状反射板により分散された消火用水の横方向への拡がりを規制する抑え面を有する傾斜抑え板とを備えており、前記Ｖ字状反射板の反射面が、消火用水の放出方向であるところの、該支持アームが連結されている基端から先端に向かって幅が広くなることを特徴とする水噴霧ヘッド、である。
【０００７】
この発明は、本体に放射角度が異なる近投ノズルと遠投ノズルとを設け、該遠投ノズルの開口の正面に、該遠投ノズルに支持アームによって基端側が固定されたデフレクタを配設した水噴霧ヘッドにおいて；
前記デフレクタは、消火用水を衝突させて分散させるＶ字状の反射面を有するＶ字状反射板と、該Ｖ字状反射板の側縁に連続し、且つ、該反射面方向に傾斜して、該Ｖ字状反射板により分散された消火用水の横方向への拡がりを規制する抑え面を有する傾斜抑え板とを備えており、前記傾斜抑え板の抑え面が、消火用水の放出方向であるところの、該支持アームが連結されている基端から先端に向かって幅が狭くなることを特徴とする水噴霧ヘッド、である。
【０００８】
【発明の実施の形態】
本発明者は、設計通りの方形状の散水分布を得るにはどのようにしたら良いかを研究し、実験を重ねた。
その結果、本体のノズル開口の正面に配設されるデフレクタは、その放出方向に対して垂直なノズル方向への断面形状が略Ｗ字形状であれば良いことがわかった。
【０００９】
また、前記Ｗ字形状のデフレクタの傾斜抑え板を、基端から先端に向かって幅を狭くすると、消火用水の横方向への拡がりを適正に規制することができ、また、デフレクタのＶ字状反射板の中心角を、散水分布の先端揃え角度、例えば、１３５度、にすると散水分布の先端が同一直線上に揃い方形状の散水分布の先端の一部が飛び出ることもない。
【００１０】
【実施例】
この発明の実施例を図１〜図７により説明する。
トンネルＴｎの壁面１上部には、ケーブルラック２が突出して設けられ、その下部に水噴霧ヘッド３が設けられている。
なお、図７は上側をトンネルＴｎの断面図及び水噴霧ヘッド３からのトンネル断面に対する散水形状に、下側をトンネルＴｎ路面１９への散水分布の右半分を示したものであり、左半分は右と同形状となるので省略している。
【００１１】
この水噴霧ヘッド３は、図示しない給水管に接続された本体６と、該本体６に螺着された近投ノズル４及び遠投ノズル５とを備えている。
この両ノズル４、５の中心軸４ｃ、５ｃは垂線Ｖに対して互いに異なった角度α、βで傾斜している。この傾斜角度は必要に応じて適宜選択されるが、例えば、角度αは２０度、角度βは１６０度が、採用される。
【００１２】
近投ノズル４には、スパイラル７が内蔵され、その先端には防塵キャップ８が設けられている。この防塵キャップ８は放水により自動的に吹き飛ばされる。
【００１３】
遠投ノズルの先端部には、デフレクタ１０が設けられている。デフレクタ１０の支持アーム１１は、押えナット１２によりノズル５に固定され、該デフレクタ１０は、ノズル開口５ａの正面と間隔をおいて対向している。
【００１４】
デフレクタ１０は、消火用水を衝突させて分散させるＶ字状の反射面を有するＶ字状反射板１５と、該Ｖ字状反射板１５の側縁１５ａに連続し、且つ、該反射面方向に傾斜して、該Ｖ字状反射板により分散された消火用水の横方向への拡がりを規制する抑え面を有する傾斜抑え板１６と、を備えている。このデフレクタ１０の平面図を示す図５のIX-IX線断面形状、即ち、デフレクタ１０の放出方向Ａ１０に対して垂直なノズル方向への断面形状、は略Ｗ字形に形成されている。
【００１５】
Ｖ字状反射板１５は、消火用水の放出方向Ａ１０、即ち、支持アーム１１が連結されている基端１５ｂから先端１５ｃに向かって幅が広くなっており、又、その中心角θは、散水分布先端揃え角、即ち、散水分布１８の先端１８ａが略同一直線上に揃い、その一部が飛び出ない様に散水できる角度、に形成されている。この揃え角θは、ノズル５からの噴出圧力等を考慮して適宜選択されるが、例えば、揃え角θとして１３５゜が採用される。
【００１６】
傾斜抑え板１６は、消火用水の放出方向Ａ１０、即ち、支持アーム１１が連結されている基端１６ｂから先端１６ｃに向かって幅が狭くなっており、又、該Ｖ字状反射板１５に対し、傾斜角γ傾いている。この傾斜角γは、散水分布の幅方向の広がりを考慮して適宜選択されるが、例えば、傾斜角γとして１３０゜が採用される。なお、１４は、防塵キャップであるが、このキャップ１４は放水により自動的に吹き飛ばされる。
【００１７】
次に、本実施例の作動について説明する。
火災発生時に、消火用水Ｗを本体６に圧送すると、該消火用水Ｗは近投ノズル４と遠投ノズル５とから同時に放水され、路面１９に落下する。
そのため、トンネルＴｎ内の路面１９には、所定形状の散水分布領域、例えば、横９ｍ、縦５ｍの方形状の散水分布１８が形成され、高さ約４，５ｍの立体的な防護範囲２０は、霧化された消火用水に完全に覆われる。
なお、防塵キャップ８、１４は、ノズル４、５から噴出される消火用水により吹き飛ばされる。
【００１８】
この時、近投ノズル４から放出される消火用水Ｗは、該水噴霧ヘッド３側に散水し、前記方形状の散水分布１８の約2／3にわたり散水される。
【００１９】
遠投ノズル５から放出される消火用水Ｗは、デフレクタ１０のＶ字状反射板１５の反射面１５ｎ中央に衝突し分散される。この衝突した消火用水Ｗのうち放出方向Ａ１０に分散された消火用水Ｗ1は、反射面１５ｎに沿って上昇しながら該ノズル５と対向する壁面１に向かって飛散し、前記方形状の散水分布１８の残りの範囲、即ち、該散水分布１８の先端側約1／3に散水される。
【００２０】
この時、Ｖ字状反射板１５の中心角θが、散水分布先端揃え角に形成されているので、散水分布の先端１８ａが、略同一直線上に揃い、その一部が飛び出ることはない。そのため、消火用水の無駄使いを防止することができる。
【００２１】
前記衝突した消火用水Ｗのうち、放出方向Ａ１０と直交する方向に分散された消火用水Ｗ2は、傾斜抑え板１６の抑え面１６ｎにより移動方向を規制されるので、前記直交する方向（横方向）への余分な拡がりを抑えることができる。
【００２２】
この時、傾斜抑え板１６の幅が基端１６ｂから先端１６ｃに向かって狭くなっているので、先端１６ｃ側に比べ水勢の強い基端側において、消火用水Ｗ2はより大きな規制を受けることになる。そのため、消火用水の基端１６ｃ側での不必要な横方向への拡がりを防止できる。
【００２３】
【発明の効果】
この発明は、次の様な顕著な効果を奏する。
(1)デフレクタは、その放出方向に対して垂直なノズル方向への断面形状が略Ｗ字形であるので、方形状の散水分布を得ることができる。
【００２４】
(2)デフレクタのＶ字状反射板の中心角を、散水分布先端揃え角に形成したので、散水分布の先端が略同一直線上に揃い、その一部が飛び出すことはない。そのため、必要最小限の消火用水で方形状の散水分布を得ることができる。
【００２５】
(3)デフレクタの傾斜抑え板の幅を、基端から先端に向かって狭くしたので、水勢の強い基端側がその先端側より大きく規制される。そのため、横方向への余分な消火用水の拡がりを防止できる。
【図面の簡単な説明】
【図１】本発明の実施例を示す側面図である。
【図２】同正面図である。
【図３】図５のIII−III線断面図である。
【図４】図５のIV−IV線断面図である。
【図５】同平面図である。
【図６】水噴霧ヘッド全体を示す縦断面図である。
【図７】水噴霧ヘッドをトンネル内に取付けた状態を示すトンネルの断面図であり、かつ、水噴霧ヘッドからの散水形状及び路面への散水分布を示す図である。
【符号の説明】
３      水噴霧ヘッド
５      遠投ノズル
６      本体
１５      Ｖ字状反射板
１６      傾斜抑え板
１８      方形状の散水分布
【図１】
0003852069.tif 000002
【図２】
0003852069.tif 000003
【図３】
0003852069.tif 000004
【図４】
0003852069.tif 000005
【図５】
0003852069.tif 000006
【図６】
0003852069.tif 000007
【図７】
0003852069.tif 000008